(57)【要約】【目的】スポーツ競技の撮影中等に、競技タイムや進行時間を容易に知ることができる撮像装置を提供すること。【構成】被写体を撮影する撮像手段と、前記撮像手段より出力された動画像又は静止画像を記録する記録媒体と、撮影している映像や前記記録媒体から再生されている映像を表示する表示する表示手段を有し、現在時刻を知る時計手段と、前記現在の時刻を撮影時刻として前記動画像又は静止画像と共に前記記録媒体に記録する撮影時刻記録手段と、所定の操作を行った時刻を時刻マークとして機器に保持する時刻マーキング手段を有する撮像装置において、前記撮影を行っている間、前記撮影時刻及び前記時刻マークが比較され、該差分時間が前記表示手段に表示される。【選択図】      図１
2004221665.tif 000002
【特許請求の範囲】
【請求項１】
被写体を撮影する撮像手段と、前記撮像手段より出力された動画像又は静止画像を記録する記録媒体と、撮影している映像や前記記録媒体から再生されている映像を表示する表示する表示手段を有し、現在時刻を知る時計手段と、前記現在の時刻を撮影時刻として前記動画像又は静止画像と共に前記記録媒体に記録する撮影時刻記録手段と、所定の操作を行った時刻を時刻マークとして機器に保持する時刻マーキング手段を有する撮像装置において、
前記撮影を行っている間、前記撮影時刻及び前記時刻マークが比較され、該差分時間が前記表示手段に表示されることを特徴とする撮像装置。
【請求項２】
前記時刻マークを前記記録媒体に記録する時刻マーキング記録手段を有し、前記記録媒体からの画像再生時に、前記記録された時刻マーキング及び前記記録されている撮影時刻が比較され、該差分の時間が前記表示手段に表示されることを特徴とする請求項１記載の撮像装置。
【請求項３】
前記記録された時刻マーキングを本体の保持する時刻マーキングメモリ手段を有し、前記記録媒体が交換された場合でも該交換後の記録媒体に記録されている前記撮影時刻との比較が行われ、該差分の時間が前記表示手段に表示されることを特徴とする請求項２記載の撮像装置。
【請求項４】
前記時刻マーキングによって指定される時刻が操作者によって任意に設定できることを特徴とする請求項２又は３記載の撮像装置。
【請求項５】
前記時刻マーキングは、撮影時より未来方向の時刻でも良いことを特徴とする請求項４記載の撮像装置。
【請求項６】
前記時刻マーキングは、撮影時より過去方向である場合と、未来方向の場合で、前記表示手段に表示される書式が異なることを特徴とする請求項５記載の撮像装置。
【請求項７】
前記記録媒体は、磁気テープメディアであることを特徴とする請求項１〜６何れかに記載の撮像装置。
【請求項８】
前記記録媒体は、ディスクメディアである事を特徴とする請求項１〜６何れかに記載の撮像装置。
【請求項９】
前記記録媒体は、半導体メモリ手段であることを特徴とする請求項１〜６何れかに記載の撮像装置。
【発明の詳細な説明】
【０００１】
【発明の属する技術分野】
本発明は、静止画像及び動画像をテープメディアやディスクメディア、固体メモリ等の記録媒体に記録する撮像装置に関するものである。
【０００２】
【従来の技術】
従来、ビデオカメラにおいては時計手段を持ち、これによって得た時刻情報を撮影される映像にスーパーインポーズにて文字を重畳し、テープへ記録されるものがあった。しかし、この方式では記録される映像そのものに文字が重畳されているため、後の再生時に時刻表示を無くす等の操作は不可能であった。
【０００３】
その後、デジタルビデオカメラにおいて、画像データとは別のサブコードエリアに時刻情報を記録しておき、再生時に時刻情報を重畳して表示する方式となったため、前記のように任意に時刻表示の有り／無しが切り替えられるようになった。
【０００４】
【発明が解決しようとする課題】
しかしながら、上記のデジタルビデオカメラでは時刻情報は撮影時刻として記録する目的のみに使われ、任意の２点間の時間を測定するストップウォッチ的な使用をすることができなかった。
【０００５】
そのため、運動会や競技会の撮影の際に競技タイムを確認したい場合等、一度再生モードにした後にスタート／ゴール時の映像を探し出し、その場所のタイムカウンターをメモしておいて手動で計算するという繁雑な作業が必要であった。
【０００６】
本発明は以上の点に鑑みてなされたもので、スポーツ競技の撮影中等に、競技タイムや進行時間を容易に知ることができる撮像装置を提供することを第１の目的とする。
【０００７】
又、本発明は、前記競技タイムや進行時間は、前記撮影を連続して行っていなくても計測ができる撮像装置を提供することを第２の目的とする。
【０００８】
更に、本発明は、前記撮影された映像の再生時にも競技タイムや進行時間を容易に知ることができる撮像装置を提供することを第３の目的とする。
【０００９】
【課題を解決するための手段】
上記目的を達成するため、本発明は、被写体を撮影する撮像手段と、前記撮像手段より出力された動画像又は静止画像を記録する記録媒体と、撮影している映像や前記記録媒体から再生されている映像を表示する表示する表示手段を有し、現在時刻を知る時計手段と、前記現在の時刻を撮影時刻として前記動画像又は静止画像と共に前記記録媒体に記録する撮影時刻記録手段と、所定の操作を行った時刻を時刻マークとして機器に保持する時刻マーキング手段を有する撮像装置において、前記撮影を行っている間、前記撮影時刻及び前記時刻マークが比較され、該差分時間が前記表示手段に表示されることを特徴とする。
【００１０】
【発明の実施の形態】
以下に本発明の実施の形態を添付図面に基づいて説明する。
【００１１】
＜実施の形態１＞
図１は本実施形態に係る撮像装置の構成を示すブロック図である。
【００１２】
図１において、１０１は被写体を取り込む撮影レンズ、１０２は後述の撮像素子への光量を制御する絞り、１０３は取り込んだ被写体を画像信号に変換する撮像素子、１０４は前記画像信号をサンプルホールドし、適正な信号レベルにするＣＤＳ／ＡＧＣ、１０５は前記ＣＤＳ／ＡＧＣ１０４からの画像信号をＡ／Ｄ変換し、デジタル信号処理を行うデジタル信号処理回路、１０６はデジタル信号処理回路からの生データを１フレーム分ずつ蓄積するフレームメモリ、１０７は前記フレームメモリの画素を後述のＤＶ方式での記録ができるように画素数を調整する画素数調整回路である。尚、上記１０１〜１０７のブロックから成るブロックをカメラヘッド１０１ａと呼ぶ。
【００１３】
１０８は各ブロック間の画像データが行き来する画像バス、１０９は画像データをＤＶ方式にて圧縮／伸長するＤＶコーデック、１１０は前記圧縮されたＤＶ圧縮画像データを記録するＤＶテープ、１１１は前記画像バス１０８を通じて再生モード時にはＤＶコーデック１０９からの再生画像データを、撮影時には前記カメラヘッド１０１ａからのスルー画を表示する液晶ディスプレイ、１１２は前記液晶ディスプレイ１１１を駆動する液晶ドライバ、１１３は前記液晶ディスプレイ１１１と同一の画像をアナログ化し、ビデオ出力端子１１４に出力するＮＴＳＣエンコーダ、１１５はＤＶ端子１１６からのデジタル入力データを前記画像バス１０８に流すと共に、前記画像バス１０８のデジタル画像データをＤＶ端子１１６から外部に出力するＩＥＥＥ１３９４インターフェース、１１７は前記ＤＶテープ１１０に前記ＤＶ圧縮画像データと共に記録される時刻情報を発生する内蔵時計、１１８はモードダイヤル１２０の状態を読んで機器全体のモードを制御したり、操作キー１１９の状態を読んで各種機能の実行を制御するメインマイコンである。
【００１４】
図３は本実施の形態における前記ＤＶテープ１１０における記録パターンを示す図である。
【００１５】
図３において、３０１はテープのトラックパターンで、ヘリカル方式によって斜め記録が行われるパターンであることを示している。３０２は前記ＤＶコーデック１０９からのＤＶ圧縮画像データ及び音声データが記録されるエリア、３０３は時刻マーカが記録されるエリア、３０４は撮影時刻データが記録されるエリア、更に、３０５は従来通り、テープカウンタとして、前記ＤＶテープの中で最初の撮影開始点からの累積記録時間を記録するエリアである。
【００１６】
以上の構成にて、前記モードダイヤル１２０を“ＣＡＭＥＲＡ”にセットするとカメラモードとなり、前記カメラヘッド１０１ａによって撮像された画像信号は、前記画像バス１０８を経由して前記ＤＶコーデック１０９によってＤＶ圧縮され、該圧縮されたＤＶ圧縮画像データは、前記ＤＶテープ１１０に記録される。
【００１７】
図２は本実施の形態における撮影者の操作の時間的な流れを示す図であり、本実施の形態ではサッカー競技を撮影する場合の例について説明する。
【００１８】
撮影者が録画をスタートさせると、前記ＤＶ圧縮画像データの前記ＤＶテープ１１０への記録が開始され、録画が停止されるまでこの動作は継続される。録画スタートからストップまでの１区切りの動画像をテイクと呼ぶ。前記図２では、“１５時００分００秒”に撮影者が録画をスタートさせ、テイクＡが作成が開始されていることを示している。このとき、前記内蔵時計１１７より得られる撮影時刻が撮影時刻データとして、前記図３の撮影時刻データ記録エリア３０４に記録される。この場合、撮影者は試合開始前に撮影を開始していることを想定している。その後、テイクＡの記録中に操作者が試合開始に合わせて前記操作キー１１９の“ＴＩＭＥ  ＰＯＩＮＴ”キーを押すと、その時点の時刻が時刻マーカデータとして、前記図３の時刻マーカ記録エリア３０３に記録される。その後も各トラックのマーカ記録エリア３０３には同一のデータが記録され、本実施の形態では、“１５時０１分０２秒”という時刻マーカが記録され続ける。更に、撮影者が１５時０２分１１秒に録画と止めると撮影休止状態となり、撮影が止まる。その後、前半戦の終了が近い１５時４０分４２秒に撮影を再開するとテイクＢの作成が開始される。この場合も引き続き前記内蔵時計１１７によって得られる撮影時刻データの記録も行われる。更に、前記時刻マーカ記録エリアには、前記“１５時０１分０２”秒”  という時刻マーカが引き続き記録され続ける。
【００１９】
更に、撮影者が１５時４６分４２秒に録画と止めると撮影休止状態となる。以上の流れを図２に示す。
【００２０】
次に、以上の手順にて作成されたＤＶテープの画像を再生した場合について説明する。
【００２１】
前記モードダイヤル１２０を“ＰＬＡＹ”にセットするとＤＶテープ再生モードとなる。図４は本実施の形態の再生画の例である。同図において、４０１は上段の時間表示、４０２は下段の時間表示である。
【００２２】
以上の構成にて、４０１は前記テープカウンタとして記録されている、前記図３のテープカウンタ記録エリア３０５に記録されている値［Ｃ］の内容が“録画時間”として表示されている。
【００２３】
更に、４０２には、前記図３の撮影時刻データ記録エリア３０４に記録されている撮影時刻［Ｔｒ］から前記図３の時刻マーカ記録エリア３０３に記録されている時刻マーカ［Ｔ］を引いた時間［Ｔｒ−Ｔ］が“経過時間”として表示される。本実施の形態においては、時刻マーカは試合開始時刻となっているため、前記“経過時間”は、録画のスタート／ストップに拘らずそのまま試合の経過時間を示すものとなっている。
【００２４】
本実施の形態では、前記時刻マーカ［Ｔ］は撮影時刻［Ｔｒ］よりも過去方向となっていて、［Ｔｒ−Ｔ］によって前記時刻マーカからの経過時間が算出されているが、前記時刻マーカの設定が前記“ＴＩＭＥ  ＰＯＩＮＴキー”によるものに加え、撮影者が任意に設定できるインターフェースを設けることによって前記時刻マーカ［Ｔ］を撮影時刻［Ｔｒ］よりも未来方向とすることもできる。この場合は［Ｔｒ−Ｔ］が負の値となり、図５に示す５０２のように、前記時刻マーカの時刻までの残り時間として表示される。これは、図５に示すようなボクシングの試合を録画する際等に特に有効である。
【００２５】
又、前記“ＴＩＭＥ  ＰＯＩＮＴキー”による時刻マーカ指定において、前記“ＴＩＭＥ  ＰＯＩＮＴキー”を押す度に前記時刻マーカが更新され、次にキーが押されるまで該時刻マーカが記録されるようにすることができ、この場合の記録パターンを図６に示す。同図において、当初時刻マーカとしてＴ０が記録されているが、前記“ＴＩＭＥＰＯＩＮＴキー”が押された場合、時刻マーカとして押された時刻に更新され、その後はＴ１として記録される。更に、前記“ＴＩＭＥ  ＰＯＩＮＴキー”が押された場合も、同様に押された時刻に更新され、Ｔ２として記録される。
【００２６】
このテープを再生した場合、図７に示す７０２，７０３のように前記“ＴＩＭＥ  ＰＯＩＮＴキー”が押された時刻の時間間隔を表示することができる。前記７０２は［Ｔ０−Ｔ１］、前記７０３は［Ｔ２−Ｔ１］のようにして算出された時間間隔である。これは、トラックにおける自転車競技や競走等の周回による競技を撮影する場合に特に有効である。
【００２７】
本実施の形態では、１つの媒体での記録となっているが、前記時刻マークの値を保持することによって、媒体を入れ替えても引き続き前記経過時間や前記残り時間等が正しく表示する構成にもできる。
【００２８】
又、前記撮影時刻、時刻マーカの値を撮像装置の本体側で保持することによって、撮影中でも同様に前記経過時間や前記残り時間等を表示できる構成としても良い。
【００２９】
＜実施の形態２＞
次に、本発明をデジタルビデオカメラで応用した実施の形態を図面を用いて説明する。
【００３０】
図８は本実施の形態に係る撮像装置構成を示すブロック図である。
【００３１】
図８において、８０１は被写体を取り込む撮影レンズ、８０２は後述の撮像素子への光量を制御する絞り、８０３は取り込んだ被写体を画像信号に変換する撮像素子、８０４は前記画像信号をサンプルホールドし、適正な信号レベルにするＣＤＳ／ＡＧＣ、８０５は前記ＣＤＳ／ＡＧＣ８０４からの画像信号をＡ／Ｄ変換し、デジタル信号処理を行うデジタル信号処理回路、８０６はデジタル信号処理回路からの生データを１フレーム分ずつ蓄積するフレームメモリ、８０７は前記フレームメモリの画素を後述のＤＶ方式での記録ができるように画素数を調整する画素数調整回路である。尚、上記８０１〜８０７のブロックから成るブロックをカメラヘッド８０１ａと呼ぶ。
【００３２】
８０８は各ブロック間の画像データが行き来する画像バス、８０９は画像データをＭＰＥＧ方式にて圧縮／伸長するＭＰＥＧコーデック、８１０は前記圧縮されたＭＰＥＧ圧縮画像データを記録するリムーバブルディスク、８１１は前記画像バス８０８を通じて再生モード時にはＭＰＥＧコーデック８０９からの再生画像データを、撮影時には前記カメラヘッド８０１ａからのスルー画を表示する液晶ディスプレイ、８１２は前記液晶ディスプレイ８１１を駆動する液晶ドライバ、８１３は前記液晶ディスプレイ８１１と同一の画像をアナログ化し、ビデオ出力端子８１４に出力するＮＴＳＣエンコーダ、８１５はＤＶ端子８１６からのデジタル入力データを前記画像バス８０８に流すと共に、前記画像バス８０８のデジタル画像データをＤＶ端子８１６から外部に出力するＩＥＥＥ１３９４インターフェース、８１７は前記リムーバブルディスク８１０に前記ＭＰＥＧ圧縮画像データと共に記録される時刻情報を発生する内蔵時計、８１８はモードダイヤル８２０の状態を読んで機器全体のモードを制御したり、操作キー８１９の状態を読んで各種機能の実行を制御するメインマイコンである。
【００３３】
図９は前記リムーバブルディスク８１０の詳細を示す図である。
【００３４】
図９において、（ａ）はディスクの模式図、（ｂ）はディスクの内容の配置を示すアドレス図である。又、９０１はディスクのデータ記録エリア、その内の９０２は圧縮画像データ記録エリア、９０３は管理情報ファイル記録エリアである。本実施の形態のリムーバブルディスクは、４ＧＢｙｔｅｓ（０ｘ００００００００  〜０ｘＦＦＦＦＦＦＦＦ）  の容量を持ち、内周側５０ＭＢｙｔｅｓ（０ｘ００００００００  〜０ｘ０３２０００００）  が管理情報ファイル記録エリア、残りが圧縮画像データ記録エリアであることを示している。
【００３５】
以上の構成にて、前記モードダイヤル８２０を“ＣＡＭＥＲＡ”にセットするとカメラモードとなり、前記カメラヘッド８０１ａによって撮像された画像信号は、前記画像バス８０８を経由して前記ＭＰＥＧコーデック８０９によってＭＰＥＧ圧縮され、該圧縮されたＭＰＥＧ圧縮画像データは、前記リムーバブルディスク８１０に記録される。
【００３６】
本実施の形態における撮影者の操作の時間的な流れは、前記実施の形態１の図２に示す撮影者の操作の時間的な流れと同様である。
【００３７】
本実施の形態の撮影時刻は、前記符号化したＭＰＥＧデータストリーム中の相関フレームの単位であるＧＯＰ（Ｇｒｏｕｐ  Ｏｆ  Ｐｉｃｔｕｒｅｓ）  ごとに記録されている。又、前記記録された前記リムーバブルディスク内では、前記図９の前記圧縮画像データ記録エリア９０２に前記ＭＰＥＧデータストリーム、前記管理情報ファイル記録エリア９０３に、圧縮データの記録位置等を記述したコンテンツマネージメントファイルを記録する。
【００３８】
図１０は本実施の形態の前記コンテンツマネージメントファイルの例であり、前記テイクＡが前記テープカウンタに相当する時刻にて００：００：００〜００：０２：１１の間、その間に生成された１３１ＭｂｙｔｅｓのＭＰＥＧストリームが、ディスク内の３２０００００  番地からＡＥＥＥ６Ｃ０  番地に記録され、又、テイクＢが前記テープカウンタに相当する時刻にて００：０２：１１〜００：０８：１１の間、その間に生成された３６０ＭｂｙｔｅｓのＭＰＥＧストリームが、ディスク内のＡＥＥＥ６Ｃ１  番地〜２０６４１０Ｃ１番地に記録されていることを示している。更に、前記時刻マーカは、１５時０１分０２秒となっていることを示している。
【００３９】
以上の手順にて作成されたリムーバブルディスクの画像の再生画像は、前記実施の形態１における図４に示す再生画の例と同様である。
【００４０】
又、本実施の形態においても、前記時刻マーカ［Ｔ］は撮影時刻［Ｔｒ］よりも過去方向となっていて、［Ｔｒ−Ｔ］によって前記時刻マーカからの経過時間が算出されているが、前記時刻マーカの設定が前記“ＴＩＭＥ  ＰＯＩＮＴキー”によるものに加え、撮影者が任意に設定できるインターフェースを設けることによって前記時刻マーカ［Ｔ］を撮影時刻［Ｔｒ］よりも未来方向とすることもでき、この場合も［Ｔｒ−Ｔ］が負の値となり、図５に示す５０２のように、前記時刻マーカの時刻までの残り時間として表示される構成とすることができる。
【００４１】
又、前記“ＴＩＭＥ  ＰＯＩＮＴキー”による時刻マーカ指定において、前記“ＴＩＭＥ  ＰＯＩＮＴキー”を押す度に前記時刻マーカがＴ１，Ｔ２…という具合に追記されていき、このディスクを再生した場合、図７に示す７０２，７０３のように前記“ＴＩＭＥＰＯＩＮＴキー”が押された時刻の時間間隔を表示する構成とすることができる。前記７０２は［Ｔ０−Ｔ１］、前記７０３は［Ｔ２−Ｔ１］のようにして算出された時間間隔である。
【００４２】
又、本実施の形態は１つの媒体での記録となっているが、前記時刻マークの値を保持することによって、媒体を入れ替えても引き続き前記経過時間や前記残り時間等が正しく表示する構成にもできる。
【００４３】
尚、本実施の形態では、記録手段としてリムーバブルディスクを用いているが、半導体メモリを用いて、前記図９（ｂ）のようにアドレスによって管理し、同様に記録する構成としても良い。
【００４４】
又、前記撮影時刻、時刻マーカの値を撮像装置の本体側で保持することによって、撮影中でも同様に経過時間や残り時間等を表示できる構成としても良い。
【００４５】
【発明の効果】
以上の説明で明らかなように、本発明によれば、撮影時刻以外にも任意の時刻マークを映像と共に記録ができるため、映像の内容に関係する時刻・タイムを容易に記録・再生することができ、スポーツ撮影に最適な撮像装置を提供することができる。
【００４６】
又、本発明によれば、映像の撮影中や再生時に拘らず時刻・タイムを表示することができるとともに、記録媒体の入れ替えにも拘らず、継続した時刻とタイム測定を行うことができる。
【図面の簡単な説明】
【図１】本発明の実施の形態１に係るデジタルビデオカメラの構成を示すブロック図である。
【図２】本発明の実施の形態１及び２の撮影の時間的流れを示す図である。
【図３】本発明の実施の形態１のテープへの記録パターンの例を示す図である。
【図４】本発明の実施の形態１及び２の再生画像の例を示す図である。
【図５】本発明の実施の形態１及び２の再生画像の例を示す図である。
【図６】本発明の実施の形態１のテープへの記録パターンの例を示す図である。
【図７】本発明の実施の形態１及び２の再生画像の例を示す図である。
【図８】本発明の実施の形態２のデジタルビデオカメラのブロック図である。
【図９】本発明の実施の形態２のリムーバブルディスクの詳細を示す図である。
【図１０】本発明の実施の形態２のコンテンツマネージメントファイルの詳細を示す図である。
【符号の説明】
１０１    撮影レンズ
１０１ａ  カメラヘッド
１０２    絞り
１０３    撮像素子
１０４      ＣＤＳ／ＡＧＣ
１０５    デジタル信号処理回路
１０６    フレームメモリ
１０７    画素数調整回路
１０８    画像バス
１０９    ＤＶコーデック
１１０    ＤＶテープ
１１１    液晶ディスプレイ
１１２    液晶ドライバ
１１３    ＮＴＳＣエンコーダ
１１４    ビデオ出力
１１５    ＩＥＥＥ１３９４インターフェース
１１６    ＤＶ端子
１１７    内蔵時計
１１８    メインマイコン
１２０    モードダイヤル
３０１    ＤＶテープ
３０２    映像記録トラック
３０３    時刻マーク記録エリア
３０４    撮影時刻記録エリア
３０５    タイムコード記録エリア
４０１    上段の時間表示
４０２    下段の時間表示
５０１    上段の時間表示
５０２    下段の時間表示
７０１    上段の時間表示
７０２      中段の時間表示
７０３    下段の時間表示
８０１    撮影レンズ
８０１ａ  カメラヘッド
８０２    絞り
８０３    撮像素子
８０４    ＣＤＳ／ＡＧＣ
８０５    デジタル信号処理回路
８０６    フレームメモリ
８０７    画素数調整回路
８０８    画像バス
８０９    ＭＰＥＧコーデック
８１０    リムーバブルディスク
８１１    液晶ディスプレイ
８１２    液晶ドライバ
８１３    ＮＴＳＣエンコーダ
８１４    ビデオ出力
８１５    ＩＥＥＥ１３９４インターフェース
８１６    ＤＶ端子
８１７    内蔵時計
８１８    メインマイコン
８２０    モードダイヤル
９０１    データ記録エリア
９０２    圧縮画像データ記録エリア
９０３    管理情報記録エリア
【図１】
2004221665.tif 000003
【図２】
2004221665.tif 000004
【図３】
2004221665.tif 000005
【図４】
2004221665.tif 000006
【図５】
2004221665.tif 000007
【図６】
2004221665.tif 000008
【図７】
2004221665.tif 000009
【図８】
2004221665.tif 000010
【図９】
2004221665.tif 000011
【図１０】
2004221665.tif 000012